(57)【特許請求の範囲】
【請求項１】
操作部を備えた第一の筐体と表示部を備えた第二の筐体を、連結部を介して連結した折り畳み式携帯端末装置において、
前記第一の筐体に対して前記第二の筐体を第１の方向に回動する第一回動軸と、
前記第一の筐体に対して前記第二の筐体を前記第１の方向と直交する第２の方向に回動する第二回動軸と、を有する前記連結部と、
前記操作部は、
各キーの機能を印字したスライドシートと、
前記スライドシートの印字面側に配置されたキートップシートと、
前記スライドシートを囲う枠部と、
前記スライドシートの印字面の裏面側に配置され、前記枠部に固定されたプッシャーシートと、を備え、
前記スライドシートは、前記第一回動軸の回動に連動する接続部材に固定され、前記第一回動軸の回動に伴って前記枠部の内側をスライド移動することを特徴とする折り畳み式携帯端末装置。
【請求項２】
前記枠部と前記プッシャーシートは貼着して固定されていることを特徴とする請求項１に記載の折り畳み式携帯端末装置。
【請求項３】
前記キートップシートは、前記枠部に固着されることを特徴とする請求項１または２に記載の折り畳み式携帯端末装置。
【請求項４】
前記接続部材は、
前記第一回動軸に固定され、前記第一回動軸の回動とともに回動する突起部と、
一端側を前記スライドシートに固定され、他端側において前記第一回動軸の所定角度で前記突起部に追従するフォロア部材と、を備え、
前記第一筐体に対して、前記第二筐体が前記第一回動軸を中心に閉じ方向へ回動すると、前記突起部も回動して前記フォロア部材の他端側を押すことにより、前記スライドシートがスライド移動することを特徴とする請求項１記載の折り畳み式携帯端末装置。
【請求項５】
前記スライドシートは、前記第１の方向に第１文字群が印字されるとともに前記第１の
方向と直交する前記第２の方向に第２文字群が印字され、
前記キートップシートは、前記スライドシートがスライド移動した際に、前記第１文字群と前記第２文字群のいずれか一方が、外部から視認可能な複数の透明な表示窓を形成し、
前記第一の筐体に対して前記第二の筐体が前記第１の方向に開いた状態では前記第１文字群が前記表示窓と重なり、
前記第一の筐体に対して前記第二の筐体が前記第２の方向に開いた状態および閉じた状態では前記第２文字群が前記表示窓と重なるよう構成した請求項１に記載の折り畳み式携帯端末装置。
【請求項６】
前記スライドシートに記載した二つの異なる方向に表示された文字は、互い違いに印字されていることを特徴とした請求項５に記載の折り畳み式携帯端末装置。
【請求項７】
前記第１の方向は、前記第一の筐体に対して前記第二の筐体を長手方向に開く方向であり、前記第２の方向は、前記第一の筐体に対して前記第二の筐体を短手方向に開く方向であることを特徴とする請求項１に記載の折り畳み式携帯端末装置。
【請求項８】
無線通信手段とテレビ放送受信手段を更に備え、
前記第一文字群には無線通信用の文字を印字し、前記第二文字群にはテレビ受信用の文字を印字したことを特徴とする請求項５に記載の折り畳み式携帯電話機。
【請求項９】
一端を前記フォロア部材に固定され、他端を前記第一の筐体内部に設けられた保持部に固定された押圧手段をさらに備え、
前記フォロア部材は前記押圧手段により前記第１の方向において前記連結部の方向に押圧され、
前記第一の筐体と前記第二の筐体が閉じた状態では、前記フォロア部材と前記突起部は当接し、
閉じた状態から前記第一回動軸の回動に伴って前記突起が回動すると、前記フォロア部材は前記押圧手段の押圧により前記突起に追従して前記連結部の方向に移動することを特徴とする請求項４に記載の折り畳み式携帯端末装置。
【請求項１０】
前記押圧手段は、ねじりコイルバネであることを特徴とする請求項９に記載の折り畳み式携帯端末装置。
【請求項１１】
前記押圧手段は、圧縮バネであることを特徴とする請求項９に記載の折り畳み式携帯端末装置。
【請求項１２】
前記保持部には、前記フォロア部材の移動方向にストッパー部が形成され、前記フォロア部材が所定量移動すると前記ストッパー手段に当接することを特徴とする請求項９に記載の折り畳み式携帯端末装置。
【請求項１３】
前記スライドシートの印字面に微小な突起を複数形成したことを特徴とする請求項１に記載ないし１２のいずれか１項に記載の折り畳み式携帯端末装置。
【発明の詳細な説明】
【技術分野】
【０００１】
本発明は、２つの筐体を第１の方向と第２の方向にそれぞれ開閉可能に連結した折り畳み式携帯端末装置に関する。
【背景技術】
【０００２】
２つの筐体が重なりあうように連結した折り畳み式携帯電話機では、ユーザーは、折り畳み式携帯電話機を連結部を中心として開いた状態にすることで  テンキーなどの操作部を備えた第一の筐体を手に持ち、表示部を備えた第二の筐体を見るという使い方が一般的である。
【０００３】
ところが最近、テレビジョン放送を受信して表示する携帯電話機が実用化され、普及し始めている。そのため、横長のテレビジョン放送画面を見るには、表示部を第２の方向に回転させたほうが見やすいことが知られている。そのため、表示部を備えた第二の筐体を該筐体の端部に備えられた回動軸まわりで  第２の方向に機械的に回転させるとともに、表示部の方向を第１の方向から第２の方向に切り替える構造が提案されている（例えば、特許文献１参照）。
【０００４】
従来から提案されている折り畳み式携帯電話機の一例を図１６と図１７に示す。図１６の携帯電話機６０は、操作部７１を有する第一の筐体６１と、表示部７２を有する第二の筐体６２と、連結部６３の３つの筐体で構成されている。そして、第一の筐体６１に設けた第一回動軸６１ａに連結部６３を矢印Ａ方向に回動自在に支持している。連結部６３を矢印Ａ方向に回動することにより、第一の筐体６１に対して第二の筐体６２を第１の方向に開くことができる。そして、連結部６３には第二回動軸６３ａが設けてあり、第二の筐体６２を回動自在に支持している。このため、携帯電話機６０は、最終的に図１７に示すように第二の筐体６２の表示部７２を第２の方向に開いた形で使用することができる。
【０００５】
このような場合に、第二の筐体６２を第２の方向に開き、表示部７２を横長にしたときに、テンキーなどの操作部７１の配列と向きがテレビ放送を見るための配列と向きに変わると便利である。そのための方法として、操作部を液晶表示付きのタッチパネルにして、表示部７２の向きが変わった都度、液晶表示のキー配列と向きを変えることが考えられるのであるが、テレビ放送を見ている間、ずっと液晶表示とバックライトをつけておくわけにもいかない。液晶表示を一度消して、その後、必要によりタッチパネルをタッチして再び液晶表示をさせてからチャンネル選択をすることになる。また、電源が入っていない状態で、筐体の開閉を行なうと、最適な文字入力方向で表示しないことが考えられる（例えば、特許文献２参照）。
【０００６】
なお、他の従来例として、キートップと、各キーのキー機能表示を外部から確認可能に表示したキー機能表示部を備えた電子機器のキー構造において、キー機能表示部は、キートップとの相対位置が変更可能であり、外部から確認可能なキー機能表示が、相対位置の変更に従って切り替わることを特徴とする電子機器のキー構造が知られている（例えば、特許文献３参照）。
【０００７】
図１８に上記従来の電子機器の正面概略図を示し、図１９は図１８のＣ−Ｃで断面にしたキートップ９１とキー機能表示板８４の部分断面を示す。図１９において、キーボード９０は下筐体８１の上を左右にスライドする。キーボード９０の左右の動きは、キーボード９０の右端に設けた導電体９３がスライドしたときに、下筐体８１の２つの端子８３に導通することにより検出する。キーボード９０が一方にセットされたときは英字入力を、キーボード９０が他方にセットされたときは平仮名入力をそれぞれ行なうことができる。
【０００８】
図１８に示すように、キーボード９０のキー９１ａは中央部に透明部９１ｂを備える。さらに図１９に示すように、キー９１ａの下面は、キー機能表示板８４の上面８４ａとスライド可能に面接触している。キー機能表示板８４の下端は電子機器８０本体の下筐体８１に垂直に固定され、途中で段階的に折れ曲がることで、文字を印刷した上面８４ａでは水平になっている。ここで、上面８４ａは、平仮名表示と英字表示とを一定幅離して左右に並んで有する。前記一定幅はキーボード９０のスライドストロークに等しい。また、透明部９１ｂの大きさは、キー機能表示板８４の文字表示よりやや大きい程度であり、二つの文字が透明部９１ｂから透けて見えることはない。キーボード９０を図１８でいう右あるいは左に寄せると、透明部９１ｂから透けて見える表示内容が平仮名表示か英字表示かに切り替わる。上記のキー構造であれば、電子機器８０本体の電源が入っていなくても、キー機能表示板の表示内容を切り替えることができる。
【特許文献１】特開２００６−２２８９９号公報
【特許文献２】特開２００１−２９６９５８号公報
【特許文献３】特開２００２−７０３４号公報
【発明の開示】
【発明が解決しようとする課題】
【０００９】
本発明は、携帯電話機、ゲーム機やテレビ受信機能をもったＰＤＡ（Ｐｅｒｓｏｎａｌ  Ｄｉｇｉｔａｌ  Ａｓｓｉｓｔａｎｔｓ）など、２つの回動軸を備え第１の方向と第２の方向に開閉可能に連結した連結部を備えた折り畳み式携帯端末装置で、第二の筐体を折り畳んだ状態から連結部の回動軸を回動させて開く際に、テンキーなどの操作部に印字された文字を、液晶などの表示器の向きに合わせて変更することを第一の課題としている。
【００１０】
そして、電源が入っていなくても、テンキーなどの操作部に印字された文字を、液晶などの表示器の向きに合わせて切り替えることができる使い勝手の良い携帯端末装置を実現することを第二の課題としている。
【００１１】
さらに上記、表示器の向きにあわせて変更することを  使用者が意図的に操作を行わなくても第１の筐体に対して第２の筐体を開閉させることにより  実現できることを第３の課題としている。
【課題を解決するための手段】
【００１２】
本発明は、操作部を備えた第一の筐体と表示部を備えた第二の筐体を、連結部を介して連結した折り畳み式携帯端末装置において、操作部には、各キーの機能について２方向の文字をあらかじめ印刷したスライドシートと、スライドシートを囲う枠部と、枠部の下面に固定したプッシャーシートと、枠部の上面に固定したキートップシートを設けている。そして、キートップシートと枠部とプッシャーシートで囲まれた空間内でスライドシートをスライド可能に支持するとともに、スライドシートの一部を枠部とプッシャーシートとキートップシートで囲まれた空間から突出させて、枠部の外からスライド駆動するためのフォロア部材を設けている。
【００１３】
また、連結部には、第一の筐体に対して第二の筐体を第１の方向に回動可能とする第一回動軸と、第一の筐体に対して第二の筐体を第１の方向と直交する第２の方向に回動可能とする第二回動軸を設けている。更に、第一回動軸にはフォロア部材をスライド移動させる突起部を固定して設けている。連結部を第一の筐体に対して第1の方向に回動させると、連結部に固定した第一回動軸と第一回動軸に固定した突起部を回転させ、突起部の動きによってフォロア部材を動かすことにより、キーシートをスライドさせる。第一の筐体の操作部は、第一筐体に対して表示部を備えた第二筐体が第１の方向または第２の方向への回動に応じて操作部のキートップシートに設けられた表示窓から第二筐体の方向に応じた文字配列が選択的に視認できるようにしている。
【００１４】
すなわち、第一の筐体に対して連結部を第二の筐体とともに第１の方向に回動したときと、第一の筐体に対して第二の筐体を第２の方向に回動したときとで、第一の筐体に設けた表示窓に、スライドシートに記載された二つの異なる方向に表示された文字のどちらかを表示するように構成している。
【００１５】
この構成により、第１の筐体に対して  連結部と第２の筐体を回動することによって、操作部のキー配列と表示の向きを第２の筐体の表示面に対して正しく切り替えることができる。
【００１６】
また本発明は、第一の筐体にある操作部の窓部から見えるスライドシートに記載されている内容を変化させるために  突起部の動きによってスライドシートをスライド可能に支持するために、スライドシートを突起部に押圧する押圧手段を設け、押圧手段については、スライドシートが所定量移動したときは、それ以上の移動を止めるストッパー手段を設けている。
【発明の効果】
【００１７】
本発明によれば、携帯電話機、ゲーム機やテレビ受信機能をもったＰＤＡなど、２つの回動軸を備え第１の方向と第２の方向に開閉可能に構成した折り畳み式携帯端末装置で、第二の筐体を折り畳んだ状態から連結部の回動軸を回動させることにより、テンキーなどの操作部に印字された文字を、液晶などの表示器の向きに合わせて変更することができる。
【００１８】
また、切り替えを機械的に行なうため、携帯端末装置に電源が入っていないときに第１の筐体に対して第２の筐体の表示面を第１の方向  あるいは  第２の方向に回動させることにより、テンキーなどの操作部に印字された文字を、第２の筐体に備えられた液晶などの表示器の向きに合わせて切り替えることができる。
【００１９】
また、操作部はキートップシートと枠部とプッシャーシートによる密閉構造となっており、防塵や防水機能に優れている。
【００２０】
そして本発明は、上記構成に加えて、無線通信手段とテレビ放送受信手段を更に備え、スライドシートには、無線通信用の文字とテレビ受信用の文字を記載し、第一の筐体に対して連結部を第二の筐体とともに第１の方向に開いたときは、無線通信用の文字を表示し、第一の筐体に対して第二の筐体を第２の方向に開いたときは、テレビ受信用の文字を選択的に表示するように構成している。
【００２１】
この構成により、第１の方向に開いたときは、無線通信用の文字を表示し、第２の方向に開いたときは、テレビ受信用の文字を表示することができる。
【発明を実施するための最良の形態】
【００２２】
（実施の形態１）
本発明の実施の形態１では、第一の筐体に対して第二の筐体が第１の方向（筐体の第１の方向）に開かれたか、あるいは第２の方向（筐体の第２の方向）に開かれたかによって、第一の筐体と第二の筐体を連結している第三の筐体である連結部が、操作部を有する第一の筐体に対して開く、あるいは閉じたままであることを利用して課題を解決している。
【００２３】
図１に、本発明の実施の形態１に係る折り畳み式携帯電話機１００の第二の筐体２を第１の方向に開いた状態を斜視図として示す。操作部５１のある第一の筐体１は、図示しない軸受部で、第一回動軸９を回転可能に支持している。連結部３は軸保持部３ａ、３ｂにより第一回動軸９を連結部３に一体に固定している。また第一回動軸９には破線で示す突起部１２を固定している。そのため、連結部３と第一回動軸９と突起部１２は一体部品として回転する。連結部３の片隅には、破線で示す第二回動軸１０が第一回動軸９に直交するように設けてあり、第二回動軸１０には第二の筐体２が回動自在に取り付けられている。第二の筐体２には表示部５２を設けている。
【００２４】
このように、折り畳み式携帯電話機１００では、第二の筐体２を第一の筐体１に対して第１の方向に開くと、操作部５１のテンキーの数字については、電話機として使えるように、規格で定められた電話機用のテンキー配列で、第１の方向を上下とする向きで表示される。
【００２５】
図２に、本発明の実施の形態１に係る折り畳み式携帯電話機１００の第二の筐体２を第２の方向に開いた状態を斜視図として示す。各部分の配置は図１と同じであるが、第二の筐体２が閉じた状態から、第二回動軸１０の周りに回動して、第二の筐体２が第一の筐体１に対して第２の方向に開いている。なお、第一の筐体１に対して連結部３は閉じている。このとき、操作部５１のテンキーの数字については、テレビ受信機として使いやすいように、第一列目は左から「１」、「２」、「３」、「４」と並んでいる。第二列目は左から「５」、「６」、「７」、「８」と並んでいる。そして、第三列目は「９」、「１０」、「１１」、「１２」と並んでいる。数字の向きも筐体の第２の方向を上下とする向きで表示される。
【００２６】
折り畳み式携帯電話機１００では、第二の筐体２が第一の筐体１に対して第１の方向に開いた場合、第２の方向に開いた場合、それぞれにおいて、液晶表示部の表示の向きに適した向きで操作部５１の印字文字が見えるようにしている。以下に、その構成について詳細に説明する。
【００２７】
図３は、操作部５１の要部についての分解斜視図である。図３に示すように、スライドシート１３には、その表面に数字等のキー内容を印刷している。テンキー用の「１」から「１０」までの数字が１４ａ、１４ｂ、１４ｃというように並んで印刷されている。また、テレビチャンネル用の数字が、１５ａ、１５ｂ、１５ｃというようにテンキー用の数字と交互に並んで印字されている。テンキー用の数字（第１印字群）の向きは第二の筐体２の第１の方向を上下とする向きに、テレビチャンネル用の数字（第２印字群）は第２の方向の向きに９０度、角度を変えて印刷されている。スライドシート１３は、薄いが、座屈しない程度の剛性を有するプラスチックシートでできている。そして、図３に示すように、一端にフォロア取り付け部１３ａを凸状に形成している。
【００２８】
図３のスライドシート１３の周囲には枠部６、裏面側（印字面と反対面）にはプッシャーシート１９を配置している。枠部６は、スライドシート１３の動きを規制するためにスライドシートの周囲を囲むように設けられる。枠部６の下面には、段差部６ａを設けて枠部６の肉厚を薄くして、上述したスライドシート１３のフォロア取り付け部１３ａが通るようにしている。枠部６の下面には、キーのクリック感を向上させるためにプッシャーシート１９を貼着して固定する。
【００２９】
なおスライドシート１３は、枠部６の下面にプッシャーシート１９を貼着して固定した状態で、プッシャーシート１９の上に置き、スライドシート１３の一端に形成したフォロア取り付け部１３ａを枠部の段差部６ａとプッシャーシート１９との隙間に通して、フォロア取り付け部１３ａにフォロア７を固定する。図４に、この状態の斜視図を示し、図５に断面図を示す。
【００３０】
図３に戻って、スライドシート１３の表面側には、プラスチック部材等で構成されたキートップシート１６が重ねられる。キートップシート１６は、スライドシート１３のうち第１印字群あるいは第２印字群のみの印刷が見えるよう、１つの印字群の印字の大きさおよび印字間隔で表示窓１６ａを構成し、残り部分１６ｂを不透明に構成している。キートップシート１６は、枠部６の上面に貼着され固定される。キートップシート１６と枠部６とプッシャーシート１９により密閉された空間の中で、スライドシート１３がスライドする。
【００３１】
フォロア部材７は後述するように、第一回動軸９に取付けられる突起部１２に対し、第一回動軸９が所定角度以上になると追従して動く。したがって、フォロア部材７を固定したスライドシート１３は、枠部６とプッシャーシート１９とキートップシート１６で形成された空間内で、第一回動軸９の回動に追従してスライドする。
【００３２】
図３において、枠部６とプッシャーシート１９の下方には、ダイヤフラム５と、キー回路基板４が配置される。ダイヤフラム５はスライドシート１３に印刷された数字および文字よりも少ない数だけ配置されている。ダイヤフラム５は上から押されると中央部がへこんで、中央部と重なり合う位置に設けた接点がキー回路基板４上のキー用接点回路と接して電気的に導通させて、押されたことを感知するようにしている。
【００３３】
図６（a）に、本発明の実施の形態１に係る折り畳み式携帯電話機１００の第二の筐体２を第１の方向に開いた状態から９０度の位置まで閉じたときの状態を部分断面図として示す。
【００３４】
第一の筐体１にはねじりコイルバネ保持部８が設けられていて、ねじりコイルバネ１１をバネ保持部８ａで支え、スライドシート１３に固着したフォロア部材７の端面を第一回動軸９に固定してある突起部１２に押すようにしている。ねじりコイルバネ１１の力でスライドシート１３は図面左方向に動こうとする。なお、ねじりコイルバネ保持部８の左端には、スライドシート１３の図面左方向の動きを止めるストッパー部８ｂを突出させている。スライドシート１３は他に動きを止めるものが無ければ、ストッパー部８ｂに当たるまで第一の筐体内部で図面左方向に動く。
【００３５】
突起部１２は、第一回動軸９に取付けられている。突起部１２は、スライドシート１３に固着したフォロア部材７の先端に当たり、第一回動軸９が回転すると、スライドシート１３をスライド移動させる。
【００３６】
図６（a）の状態ではフォロア部材７はねじりコイルバネ１１保持部８に突出させて形成したストッパー部８ｂに当たり突起部１２に接触していなかったが、第二の筐体２を第１方向に回転させて閉じていくことにより突起部１２に接触する。
【００３７】
ここまでは、突起部が突起部１２に接触していないためスライドシートの移動はなく、携帯電話機としての通話や電子メールの閲覧に適した通常の文字表記がされた状態を保つことができる。
【００３８】
図６（ｂ）に、第二の筐体２を第１の方向に所定度から閉じる方向に動かしたときの状態を示す。第一の筐体１を断面で示している。連結部３は第二の筐体２とともに、第一の筐体１に対してＤ矢印のように第１方向を閉じる方向に動く。連結部３が閉じていくと、連結部３と一体に固定されている第一回動軸９もＤ矢印の方に回転する。第一回動軸９が回転すると突起部１２も連動して回転し始める。突起部１２がＤ矢印の方に回転すると、ねじりコイルバネ１１の力によりフォロア部材７を図面右方向、Ｅ矢印の方向に移動させる。フォロア部材７は図面左方向に移動を続け、ねじりコイルバネ保持部８に突出させて形成したストッパー部８ｂに当たって止まる。
【００３９】
これにより、使用者は、第２の筐体を閉じる動作を行うことにより  第１の筐体に設けられたスライドシートが動いているにもかかわらず、第２の筐体にさえぎられることにより実際に文字が変わっていくことを意識せずに行うことができる。
【００４０】
フォロア部材７の移動量は、第一の筐体１の隣り合う窓１ａの１ピッチの半分にしている。すなわち、１ピッチを「Ｐ」とすると、フォロア部材７は、「Ｐ／２」だけ左に移動し、フォロア部材７が固定されているスライドシート１３も「Ｐ／２」だけ左に移動する。
【００４１】
本発明の折り畳み式携帯電話機１００では、第二の筐体２を第１の方向に所定角度まで閉じたときに突起部１２によるフォロア部材７の移動が開始する。その結果、第二の筐体２を第１の方向に９０度閉じるまでは、操作部５１のキー配列と表示の向きは、変化することなく、第二の筐体２を第１の方向に閉じはじめると切り替わり始め、完全に閉じられると文字の切り替えが完了する。
【００４２】
したがって、本実施の形態１では第二の筐体２を第１の方向に９０度まで閉じたときにキー配列と表示の向きの切り替えが始まる例を説明したが、角度は９０度に限らない。
【００４３】
図７に、第二の筐体２を第１の方向に開ききったときの折り畳み式携帯電話機１００の平面図を示す。第二の筐体２が連結部３とともに開いているので、操作ボタンについては第一の筐体１の透明な窓１ａから数字を見ることができる。図７では、電話機用として文字の向きの上から第一段目に「１」、「２」、「３」と並んでいるのが見える。第二段目に「４」、「５」、「６」と並んでいる。そして、第三段目に「７」、「８」、「９」と並んでいる。第四段目に「＊」、「０」、「＃」が並んでいる。このことにより、折り畳み式携帯電話機１００の表示部５２を縦長にしたときには、電話機の数字配置としてテンキーボタンを迷うことなく押すことができる。
【００４４】
図８は第二の筐体２を連結部３とともに第一の筐体１に対して閉じたときの状態を示し、第一の筐体１の中を断面で示している。第一の筐体１の中には、図示しない支持部によって固定されたプリント基板４があり、プリント基板４の上にはダイヤフラム５が、スライドシート１３に印刷された数字および文字よりも少ない数だけ配置されている。ダイヤフラム５の上にはプッシャーシート１９が固定されている。図面では、枠部６とプッシャーシート１９の断面形状がはっきりと見えるように、誇張して描いているが、全体の実際の厚さは薄く、プッシャーシート１９を上方から押すと、たわんで、直下のダイヤフラム５の中央部をへこませるようにしている。  
【００４５】
図９（ａ）に、第二の筐体２を第２の方向に開いたときの状態を示す。なお、第一の筐体１を断面で示している。連結部３は第一の筐体１に対して閉じたままであるが、第二の筐体２が第二回動軸１０の周りに回転し、表示部５２が見える。ここで、連結部３が第一の筐体１に対して閉じたままであるため、第一回動軸９は回転しない。つまり、突起部１２は回転せず、スライドシート１３の位置は、図６の第二の筐体２を閉じたときと同じである。
【００４６】
図９（ｂ）に、第二の筐体２を第２の方向に開いたときの折り畳み式携帯電話機１００の平面図を示す。第二の筐体２が開いているので、操作ボタンについては第一の筐体１の表示窓１ａから数字を見ることができる。図９（ｂ）では、テレビチャンネル用の「１」から「１２」までの数字が、文字の向きの上から第一段目に「１」、「２」、「３」、「４」と並んでいるのが見える。第二段目に「５」、「６」、「７」、「８」と並んでいる。そして、第三段目に「９」、「１０」、「１１」、「１２」と並んでいる。このことにより、折り畳み式携帯電話機１００の表示部５２をテレビ放送を見るための横長にしたときには、「１」から「１２」までのチャンネルのどれかを迷うことなく押すことができる。
【００４７】
図１０は、枠部６とプッシャーシート１９を一体にした後、スライドシート１３をプッシャーシート１９の上に置き、フォロア取り付け部１３ａを枠部の段差部６ａとプッシャーシート１９で出来る隙間を通した後、フォロア取り付け部１３ａにフォロア７を固定し、ねじりコイルバネ１１に係合させた状態の斜視図である。
【００４８】
図１１に図１０の断面図を示す。図１１に示すようにフォロア７の下部には溝７ａを形成していて、ねじりコイルバネ１１の先端部分を係合させている。ねじりコイルバネ１１は、ねじりコイルバネ保持部８に取り付けている。ねじりコイルバネ保持部８には、図６で示したときと同様の働きをする保持部８ａとストッパー８ｂを設けている。
【００４９】
また、ねじりコイルバネ１１の先端部分は円弧を描いて変移するが、フォロア７の下部の溝７ａの溝方向には滑るようにしている。また本発明の実施の形態１では、スライドシート１３とフォロア７を固定する手段として、ガイドピン２０をスライドシート１３のフォロア取り付け部１３ａの上からフォロア７に嵌入させている。そして、ガイドピン２０は第一の筐体１にスライド方向に設けた図示しないガイド溝が当たるようにしていて、スライドシート１３がスライドするときにスライド方向と直交する方向に動かないようにスライド動作を規制している。このように、ガイドピン２０と第一の筐体１にスライド方向に設けた図示しないガイド溝によって、スライドシート１３のスライド動作を規制しているので、スライドシート１３はスライド方向にのみ動く。その結果、スライドシート１３は安定してスライドする。
【００５０】
図１２（ａ）から図１２（ｃ）に、図６で示した第二の筐体２を連結部３とともに第一の筐体１に対して開閉したときのスライドシート１３のスライド状況を表した部分断面の詳細を示す。
【００５１】
図１２（ａ）は第二の筐体２および連結部３が開ききった状態の断面図を、図１２（ｂ）は第二の筐体２および連結部３が９０度開いた状態の断面図を、図１２（ｃ）は、第一の筐体１に対して第二の筐体２を連結部３とともに閉じたときの部分断面図を示している。
【００５２】
以上実施の形態１では、第一回動軸９に突起部１２を固定した場合について説明したが、第一回動軸９の回転が突起部１２に連動して伝わる構造であれば他の構造を用いてもよい。例えば、第一回動軸９と突起部１２の軸の間に別の軸を設け第一回動軸９と突起部１２を連動させてもよい。このことにより突起部の軸の位置を任意に設定することができる。
【００５３】
また、第三の筐体である連結部３が第一の筐体１に対して回転する動きを突起部１２の動きとして、フォロア部材７を固着したスライドシート１３をスライドさせて、機械的に操作部の表示内容と表示する向きを切り替えている。そのため、携帯端末装置に電源が入っていなくても、確実に操作部の表示内容と表示する向きを切り替えることができる。
【００５４】
また、携帯端末装置の一つであるテレビ受信手段をもつ携帯電話機について説明したが、ゲーム機能付き携帯電話機において、第２の方向に開いたときにはゲーム機として使えるようにゲーム用のキー配列に切り替えるようにしても良い。その他、二つの異なる方向に表示された文字については、互い違いに配置しても良い。
【００５５】
また、第２筐体を第１筐体に対して第２の方向に開いた場合に  表示された文字の配列として、第一段目に「１」、「２」、「３」、「４」と並んでいるのが見える。第二段目に「５」、「６」、「７」、「８」と並んでいる。そして、第三段目に「９」、「１０」、「１１」、「１２」と並べたが、メールなどの入力に対して  違和感なく行うためには、文字の向きを上から第一段目に「１」、「２」、「３」  第二段目に、「４」、「５」、「６」、第三段目に、「７」、「８」、「９」と並べてもよい。
【００５６】
また、スライドシート１３の位置精度を確保するための基準として本文では、ストッパー部８ｂで接触させることにより精度を確保しているが、スライドシート１３を枠部６の内側の端面に当てることにより位置精度を出す構造にしてもよい。
【００５７】
（実施の形態２）
図１３に、本発明の実施の形態２に係る折り畳み式携帯電話機１００の部分断面図を示す。図１３では、第一の筐体１には圧縮バネ保持部２１が設けられており、圧縮バネ２２を圧縮バネ保持部２１で支え、スライドシート１３に固着したフォロア部材７の端面を第一回動軸に固定してある突起１２に押すようにしている。実施の形態２の構成は、バネの種類をねじりコイルバネに替えて圧縮バネとしたことが異なるのみで他の構成は実施の形態１と同様である。
【００５８】
（実施の形態３）
次に、本発明の実施の形態３について図１４と図１５を用いて説明する。実施の形態３はスライドシート１３の表面に微小な突起２３を形成している点に特徴があり、他の構成は実施の形態１と同様である。表面に微小な突起を設けることによりキートップシートとスライドシートの間の隙間を一定に保つことができ、かつ  接触面積を小さくすることができるため摺動抵抗を小さくすることができる。
【００５９】
なお、微小な突起２３を数箇所に設けた例を示したが、微小な突起２３を多数設けてもよく、スライドシート１３の表面だけでなく、裏面にも設けても良い。また微小な突起２３の突出高さはスライドシート１３の厚さに比べて小さくてもよい。
【産業上の利用可能性】
【００６０】
本発明は、折り畳み式携帯電話機に限らず、表示画面を縦横に切り替えて使用するゲーム機や、テレビ受信機能を持ったＰＤＡなどにおいて、２つの回動軸を備え第１の方向と第２の方向に開閉可能に連結した折り畳み式携帯端末装置に適用できる。
【図面の簡単な説明】
【００６１】
【図１】本発明の実施の形態１に係る携帯電話機の筐体を第１の方向に開いた状態を示す斜視図
【図２】本発明の実施の形態１に係る携帯電話機の筐体を第２の方向に開いた状態を示す斜視図
【図３】本発明の実施の形態１に係る携帯電話機の操作部の要部についての分解斜視図
【図４】本発明の実施の形態１のスライドシート関連部分の構造を示す斜視図
【図５】本発明の実施の形態１のスライドシート関連部分の構造を示す部分断面図
【図６】（ａ）本発明の実施の形態１に係る携帯電話機の筐体を第１の方向に開いた状態を示す部分断面図（ｂ）本発明の実施の形態１に係る携帯電話機の筐体を第１の方向に開いた状態を示す部分断面図
【図７】本発明の実施の形態１に係る携帯電話機の筐体を第１の方向に開いた状態を示す平面図
【図８】本発明の実施の形態１に係る携帯電話機を閉じたときの部分断面図
【図９】（ａ）本発明の実施の形態１に係る携帯電話機の筐体を第２の方向に開いた状態を示す部分断面図（ｂ）本発明の実施の形態１に係る携帯電話機の筐体を第２の方向に開いた状態を示す平面図
【図１０】本発明の実施の形態１のスライドシート関連部分の構造を示す斜視図
【図１１】本発明の実施の形態１のスライドシート関連部分の構造を示す部分断面図
【図１２】（ａ）本発明の実施の形態１に係る携帯電話機の筐体を第１の方向に開いた状態を示す部分断面図（ｂ）本発明の実施の形態１に係る携帯電話機の筐体を第１の方向に開いた状態を示す部分断面図（ｃ）本発明の実施の形態１に係る携帯電話機の筐体を閉じた状態を示す部分断面図
【図１３】（ａ）本発明の実施の形態２に係る携帯電話機の筐体を第１の方向に開いた状態を示す部分断面図（ｂ）本発明の実施の形態２に係る携帯電話機の筐体を第１の方向に開いた状態を示す部分断面図
【図１４】本発明の実施の形態３のスライドシート関連部分の構造を示す斜視図
【図１５】本発明の実施の形態３のスライドシート関連部分の構造を示す部分断面図
【図１６】従来の携帯電話機の第二の筐体を第１の方向に開いた状態を示す斜視図
【図１７】従来の携帯電話機の第二の筐体を第２の方向に開いた状態を示す斜視図
【図１８】従来の電子機器の平面図
【図１９】従来の電子機器の部分断面図
【符号の説明】
【００６２】
１    第一の筐体
２    第二の筐体
３    連結部
４    プリント基板
５    ダイヤフラム
６    枠部
７    フォロア部材
８    ねじりコイルバネ保持部
９    第一回動軸
１０  第二回動軸
１１  ねじりコイルバネ
１２  突起部
１３  スライドシート
１６  キートップシート
１９  プッシャーシート
５１  操作部
【要約】
【課題】第１の方向と第２の方向に開閉可能なテレビ受信機能付き携帯端末装置において、テレビ放送を横長画面で見ることができるとともに、操作部の表示の向きを画面にあわせて表示できる携帯端末装置を実現する。
【解決手段】操作部のある第一の筐体１の操作面側の内部に、操作部のキーの内容を表示するスライドシート１３を第一の筐体１にとりつけられたキートップシートと枠部とプッシャーシートに囲まれた空間の中に配置し、連結部３に設けられた突起部１２の動きによってスライド可能にしておき、第二の筐体２を第１の方向に閉じると突起部１２が連動して回転することを利用して、スライドシート１３をずらし、電話用の数字配列からをチャンネル選択用の数字配列へ切り替え、表示の向きも９０度回転した表示に切り替えるよう構成した。
【選択図】図６【図１】
0004216895.tif 000002
【図２】
0004216895.tif 000003
【図３】
0004216895.tif 000004
【図４】
0004216895.tif 000005
【図５】
0004216895.tif 000006
【図６】
0004216895.tif 000007
【図７】
0004216895.tif 000008
【図８】
0004216895.tif 000009
【図９】
0004216895.tif 000010
【図１０】
0004216895.tif 000011
【図１１】
0004216895.tif 000012
【図１２】
0004216895.tif 000013
【図１３】
0004216895.tif 000014
【図１４】
0004216895.tif 000015
【図１５】
0004216895.tif 000016
【図１６】
0004216895.tif 000017
【図１７】
0004216895.tif 000018
【図１８】
0004216895.tif 000019
【図１９】
0004216895.tif 000020